(57)【要約】【課題】拡張カードの取り出しを簡単な操作で行うことができる情報端末を提供する。【解決手段】位置指示手段収納手段１５が、位置指示手段３０を少なくとも２つの挿入状態で挿入可能であり、第１の挿入状態で挿入された時に位置指示手段３０を収納する。引出手段４０は、位置指示手段３０が位置指示手段収納手段１５に第２の挿入状態で挿入された時に拡張カード２０を拡張カード収納手段１４に収納された収納状態から前記拡張カード収納手段から引き出した引出状態にする。【選択図】　図８
2004038354.tif 000002
【特許請求の範囲】
【請求項１】
情報を表示する表示手段と、この表示部と一体化された入力手段と、この入力手段の任意位置を指定する位置指示手段とを有する情報端末において、
所定の機能を有する拡張カードを着脱可能に収納する拡張カード収納手段と、
前記位置指示手段を少なくとも２つの挿入状態で挿入可能であり、第１の挿入状態で挿入された時に前記位置指示手段を収納する位置指示手段収納手段と、
前記位置指示手段が前記位置指示手段収納手段に第２の挿入状態で挿入された時に、前記拡張カードを前記拡張カード収納手段に収納された収納状態から前記拡張カード収納手段から引き出した引出状態にする引出手段と
を具備することを特徴とする情報端末。
【請求項２】
前記位置指示手段は、ペン型で且つ一方の端部に外周方向に突起したグリップ辺を有する形状であり、
前記位置指示手段収納手段は、前記グリップ辺を挿入可能としたグリップ辺挿入部を２つ有し、この２つのグリップ辺挿入部は互いに離間した位置に配置され、且つ、前記位置指示手段が前記第１の挿入状態で挿入された時に前記２つのグリップ辺挿入部のうち第１のグリップ挿入部に前記グリップ辺を挿入可能であり、一方、前記位置指示手段が前記第２の挿入状態で挿入された時に前記２つのグリップ辺挿入部のうち第２のグリップ辺挿入部に前記グリップ辺を挿入可能であること
を特徴とする請求項１記載の情報端末。
【請求項３】
前記引出手段は、前記位置指示手段収納手段の前記第２のグリップ辺挿入部に前記位置指示手段の前記グリップ辺が挿入された時に、前記拡張カードを前記収納状態から前記引出状態にすることを特徴とする請求項２記載の情報端末。
【請求項４】
情報を表示する表示手段と、この表示部と一体化された入力手段と、この入力手段の任意位置を指定する位置指示手段とを有する情報端末において、
所定の機能を有する拡張カードを着脱可能に収納する拡張カード収納手段を少なくとも２つ以上有し、
前記位置指示手段を３つ以上の挿入状態で挿入可能な構成を有し、且つ、第１の挿入状態で挿入された時に前記位置指示手段を収納し、
前記引出手段は、前記第１の挿入状態以外の各挿入状態に応じて、前記拡張カード収納手段のうち対応する拡張カード収納手段に収納されている所定の前記拡張カードを前記収納状態から前記引出状態にすることを特徴とする情報端末。
【請求項５】
前記位置指示手段は、ペン型で且つ一方の端部に外周方向に突起したグリップ辺を有する形状であり、
前記位置指示手段収納手段は、前記グリップ辺を挿入可能としたグリップ辺挿入部を３つ以上有し、この複数のグリップ辺挿入部は互いに離間した位置に配置され、且つ、前記位置指示手段の挿入状態に応じて、前記複数のグリップ辺挿入部のうち対応するグリップ辺挿入部に前記グリップ辺を挿入可能でであること
を特徴とする請求項４記載の情報端末。
【請求項６】
前記引出手段は、前記第１の挿入状態以外の挿入状態で前記位置指示手段が挿入されることにより、前記複数のグリップ辺挿入部のうち所定のグリップ辺挿入部に前記グリップ辺が挿入された時に、前記複数の拡張カード収納手段のうち前記所定のグリップ辺収納部に対応する前記拡張カード収納手段に収納されている前記拡張カードを、前記収納状態から前記引出状態にすることを特徴とする請求項５記載の情報端末。
【発明の詳細な説明】
【０００１】
【発明の属する技術分野】
本発明は、メモリカード等の所定の機能を有し且つカード形状をした拡張カードを収納するためのスロットを備えた情報端末において、収納した拡張カードをスロットから簡単な操作にて取り出すことを可能とした取り出し機構を備えた情報端末に関する。
【０００２】
【従来の技術】
近年では、ＰＤＡ（Ｐａｒｓｏｎａｌ　ｄｅｇｉｔａｌ　ａｓｓｉｓｔａｎｔ）や携帯電話などの情報端末では、所定の機能を有し且つカード形状をした小型の拡張カードを収納するためのスロットが設けられている。拡張カードは、例えば、メモリカード、ＰＨＳカード、無線ＬＡＮカード、Ｂｌｕｅｔｏｏｔｈカード、モデムカード等である。情報端末のスロットは、この拡張カードを着脱可能に装着する構成を有している。
【０００３】
【発明が解決しようとする課題】
従来の情報端末では、拡張カードを装着したときに拡張カードの一部分がスロットの外部に露出するようスロットを形成している。拡張カードを取り出す場合、ユーザが拡張カードのスロットの外部に露出している部分に掴み、引き出すという動作が必要である。
【０００４】
しかしながら、拡張カードのスロットの外部に露出させている部分は非常に狭い。このため、大人の男性など指が太いユーザの場合、拡張カードの露出部分が狭く掴み難いという不具合がある。スロットは装着した拡張カードが重力等の自然の力によって抜けないように拡張カードが引き出される方向に対しては所定の保持力を持たせている。このため、拡張カードを引き出す場合は、所定の保持力以上の力が必要になるが、上述したように拡張カードが掴み難いため、容易に引き出すことができない。
【０００５】
本発明は上記の課題を解決するためになされたものであり、スロットからの拡張カードの取り出しを簡単な操作で行うことを可能とする情報端末を提供することを目的とする。
【０００６】
【課題を解決するための手段】
本発明の情報端末は、情報を表示する表示手段と、この表示部と一体化された入力手段と、この入力手段の任意位置を指定する位置指示手段とを有する情報端末において、所定の機能を有する拡張カードを着脱可能に収納する拡張カード収納手段と、前記位置指示手段を少なくとも２つの挿入状態で挿入可能であり、第１の挿入状態で挿入された時に前記位置指示手段を収納する位置指示手段収納手段と、前記位置指示手段が前記位置指示手段収納手段に第２の挿入状態で挿入された時に、前記拡張カードを前記拡張カード収納手段に収納された収納状態から前記拡張カード収納手段から引き出した引出状態にする引出手段とを具備することを特徴とする。
【０００７】
また、本発明の情報端末は、情報を表示する表示手段と、この表示部と一体化された入力手段と、この入力手段の任意位置を指定する位置指示手段とを有する情報端末において、所定の機能を有する拡張カードを着脱可能に収納する拡張カード収納手段を少なくとも２つ以上有し、前記位置指示手段を３つ以上の挿入状態で挿入可能な構成を有し、且つ、第１の挿入状態で挿入された時に前記位置指示手段を収納し、前記引出手段は、前記第１の挿入状態以外の各挿入状態に応じて、前記拡張カード収納手段のうち対応する拡張カード収納手段に収納されている所定の前記拡張カードを前記収納状態から前記引出状態にすることを特徴とする。
【０００８】
これにより、本発明では、拡張カードの取り出しを簡単な操作で行うことができる。
【０００９】
【発明の実施の形態】
（第１の実施の形態）
以下、図面を参照しながら本発明の第１の実施の形態に係る情報端末ついて説明する。図１に、本発明の第１の実施の形態に係る情報端末の表面側の構成を示している。同図に示すように、情報端末１０は、本体１１と、キー入力部１２、タブレット一体型ＬＣＤ１３、スロット１４、ペン収納部１５とを有する。キー入力部１２とタブレット一体型ＬＣＤ１３は、本体１１の表面１６に設けられている。スロット１４とペン収納部１５とは本体１１の上面１８に設けられている。キー入力部１２は、方向情報を入力するための方向指示キー１２ａや、実行可能なアプリケーションの起動を指示するアプリケーション指示キー１２ｂを備える。タブレット一体型ＬＣＤ１３は、ＬＣＤ（液晶表示装置）の上に座標情報を入力するためのタブレットを積層した一体構造を有している。スロット１４は、拡張カード２０を着脱可能に収納できる構造を有している。スロット１４は、拡張カード２０を装着した状態において本体１１の内部の各種情報処理を行う制御部（図示せず。制御部は、例えばＣＰＵである）と媒体２０とを電気的に接続する入出力インターフェースを備えている。ペン収納部１５は、図２に示すスタイラスペン３０を収納可能な構成を有する。拡張カード２０は、小型のカード形状の構造を有しており、例えば、メモリカードや、ＰＨＳカード、無線ＬＡＮカード、Ｂｌｕｅｔｏｏｔｈカード、モデムカード等である。
【００１０】
図２に、スタイラスペン３０を示している。スタイラスペン３０は、本体３１の一方の端部に先端部３２、この先端部３２とは反対方向の端部にグリップ辺３３を有する。また、図において本体３１の上側の面とグリップ辺３３の上側の面とで、上面３４を形成する。グリップ辺３３は、上面３４の反対方向に下面３５を有する。
【００１１】
図３に情報端末１０を背面側から見たときの様子、また、図４に上面側から見たときの様子を示している。同図に示すように、ペン収納部１５は、本体収納部１５ａ、グリップ辺挿入部１５ｂ、グリップ辺挿入部１５ｃを有しており、スタイラスペン３０を、２つの方向に挿入することが可能な構成を有している。本体収納部１５ａは、断面方向（図３の左右方向）においてスタイラスペン３０の断面と略同形状で当該スタイラスペン３０を収納可能な面積で、且つ、高さ方向（図３の上下方向）においてスタイラスペン３０と略同じ長さの空隙を構成する壁面（図示せず）と底面１５ｄとから構成されている。
【００１２】
図５に、スタイラスペン３０を方向１に向けた状態、即ち、グリップ辺３３を背面１７方向に向けた状態でペン収納部１５に挿入する場合を示している。ユーザは、グリップ辺３３を方向１に向けてスタイラスペン３０を挿入することで、スタイラスペン３０をペン収納部１５に収納することができる。スロット１４には、拡張カード２０が収納されている。拡張カード２０は、この収納状態で、スロット１４の入出力インターフェースを介して、本体１１の内部の制御部と電気的に接続されている。図７に、スタイラスペン３０を方向１に向けて挿入し、ペン収納部１５に収納した様子を示している。この状態の時、スタイラスペン３０のグリップ辺３３は、グリップ辺挿入部１５ｂを通して情報端末１０の本体１１の背面に露出している。また、スタイラスペン３０の先端部３２は、スタイラスペン３０が収納された状態で、ペン収納部１５の底面１５ｄに当接している。このとき、拡張カード２０はスロット１４に収納された収納状態のままである。
【００１３】
一方、図６に、スタイラスペン３０を方向２に向けた状態、即ち、グリップ辺３３を表面１６方向に向けた状態でペン収納部１５に挿入する場合を示している。このとき、本体３１は本体収納部１５ａに、グリップ辺３３はグリップ挿入部１５ｃにそれぞれ挿入された状態となる。ユーザは、グリップ辺３３を方向２に向けた状態でスタイラスペン３０を挿入することで、後述する動作により、拡張カード２０をスロット１４からイジェクトすることができる。図８に、スタイラスペン３０を方向２に挿入したことにより、拡張カード２０をイジェクトし、引出状態としたときの様子を示している。引出状態とは、拡張カード２０の一部分をスロット１４の外部に露出させた状態である。この引出状態にあるとき、拡張カード２０は、スロット１４の入出力インターフェースとは接続されておらず、ユーザが露出した一部分を手で掴んで引き出すことができる。イジェクトとは、拡張カード２０を収納状態から引出状態にすることである。
【００１４】
次に、拡張カード２０をイジェクトするイジェクト機構部について図９を参照しながら説明する。同図は、情報端末１０の本体１１の内部に設けられているイジェクト機構部４０を本体１１の背面１７側から見た場合の様子を示している。イジェクト機構部４０は、第１部材４１、第２部材４２、第３部材４３、第１支点４４、軸４５、第２支点４６から構成されている。図中、イジェクト機構部４０は実線で示している。第１部材４１と第２部材４２とは、第１支点４４により回転可能に接続されている。第２部材４２と第３部材４３とは、第２支点４６により回転可能に接続されている。また、第２部材は軸４５により、情報端末１０の本体１１に対し軸４５を中心に回転可能な状態で固定されている。図３及び図４に示すように、第１部材４１の上面４７の一部分が、ペン収納部１５のグリップ辺挿入部１５ｃに露出している。図４では第１部材４１を点線で示している。
【００１５】
グリップ辺３３を方向２に向けた状態でスタイラスペン３０をペン収納部１５に挿入した時に、第１部材グリップ辺挿入部１５ｃに露出した第１部材４１の上面４７が、スタイラスペン３０のグリップ辺３３の下面３５と接触する。接触した状態で、図９に示す如く、スタイラスペン３０を下方向に押し込むことで、第１部材４１が下方向にスライドする。第１部材４１の下方向のスライドに伴って、第２部材４２が軸４５を中心として反時計方向に回転し、第３部材４３が上方向にスライドする。第３部材４３は上方向にスライドすることで、拡張カード２０を上方向に押し上げる。第３部材４３の押し上げに伴い、拡張カード２０の上部の一部分が、スロット１４の外に露出する。なお、第３部材４３の上方向の移動量は、例えば、拡張カード２０がスロット１４の外部に露出した時に上部の露出部分の高さ（図９の上下方向の長さ）が、ユーザの手で十分に掴める程度にする。また、拡張カード２０をイジェクトし、スタイラスペン３０をペン収納部１５にそれ以上押し込めなくした状態のときに、スタイラスペン３０の一部をペン収納部１５の外部に露出させておく。スタイラスペン３０は、ユーザの手で十分に掴める程度に露出させておく。これは、ユーザが露出した部分を掴んでスタイラスペン３０を引き抜くことを可能とするためである。また、拡張カード２０をイジェクトする際に上方向にスライドした第３部材４３は、別の拡張カード２０がスロット１４に挿入された際に、この挿入された別の拡張カード２０により押し下げられることで、元の位置に戻る。第３部材４３が押し下げられることで、第２部材４２が時計方向に回転し、それにより第１部材４１が上方向に押し上げられるので、第１部材４１は元の位置に戻る。
【００１６】
なお、イジェクト機構部４０は、上述したものに限らず、グリップ辺３３を方向２に向けた状態でスタイラスペン３０をペン収納部１５に挿入されたことを検知する機構と、拡張カード２０をスロット１４外部にイジェクトする機構とを機械的に接続されていない別の構成で実現させても良い。この場合、検知する機構は、スタイラスペン３０の方向２の挿入を検知したとき、電気回路を介して検知情報を、イジェクトする機構に伝達する。
【００１７】
以上説明したように、グリップ辺３３を方向２に向けた状態でスタイラスペン３０をペン収納部１５に挿入することでスロット１４から拡張カード２０をイジェクトすることができるので、拡張カード２０のイジェクトを簡単な操作で行うことが可能となる。
（第２の実施の形態）
次に、本発明の第２の実施の形態に係る情報端末を説明する。図１０に、本発明の第２の実施の形態に係る情報端末を示している。同図に示すように、情報端末５０の本体５１にはその上面５６に、複数の異なる種別の拡張カード２１、２２、２３にそれぞれ対応するスロット５２、５３、５４、及び、ペン収納部５５を有する。なお、情報端末５０の表面５７及び裏面５８の構成は、図１及び図３で説明した第１の実施の形態のものと同じである。
【００１８】
スロット５２は種別１の拡張カード２１を収納する。スロット５３は種別２の拡張カード２２を収納するスロット５４は種別３の拡張カード２３を収納する。ペン収納部５５は、本体収納部５５ａと、グリップ辺挿入部５５ｂ、第１グリップ辺挿入部５５ｃ、第２グリップ辺挿入部５５ｄ、第３グリップ辺挿入部５５ｅを有しており、スタイラスペン３０を、４つの方向に挿入することが可能な構成を有している。本体収納部５５ａは、上述した本体収納部１５ａと同じ構成である。グリップ辺挿入部５５ｂは、上述したグリップ辺挿入部１５ｂと同じ構成である。また、第１グリップ辺挿入部５５ｃ、第２グリップ辺挿入部５５ｄ、第３グリップ辺挿入部５５ｅは、それぞれスタイラスペン３０のグリップ辺３３を挿入可能な構成を有する。本体５１の内部には、図９に示すイジェクト機構部４０と同じ構成のものがスロットに対応する数だけ複数個設けている。各イジェクト機構４０のそれぞれの第１部材４１は、その上面４７の一部分が、対応する各グリップ辺挿入部５５ｃ、５５ｄ、５５ｅに露出している。また、各イジェクト機構４０のそれぞれの第３部材４３は、対応するスロット５２、５３、５４に収納された拡張カードをイジェクト可能とすべく配置されている。
【００１９】
図１１には、グリップ辺３３を方向２に向けた状態でスタイラスペン３０を挿入する様子を示している。ユーザにより、グリップ辺３３を方向２に向けた状態でスタイラスペン３０が押し込まれると、グリップ辺挿入部５５ｄに対応するイジェクト機構４０が動作しスロット５３に収納されている種別２の拡張カード２２をイジェクトする。イジェクト機構４０の動作は、上述した図９のものと同じである。図１２には、グリップ辺３３を方向３に向けた状態でスタイラスペン３０を挿入する様子を示している。ユーザにより、グリップ辺３３を方向３に向けた状態でスタイラスペン３０が押し込まれると、グリップ辺挿入部５５ｃに対応するイジェクト機構４０が動作しスロット５４に収納されている種別３の拡張カード２３をイジェクトする。イジェクト機構４０の動作は、上述した図９のものと同じである。図１３には、グリップ辺３３を方向４に向けた状態でスタイラスペン３０を挿入する様子を示している。ユーザにより、グリップ辺３３を方向４に向けた状態でスタイラスペン３０が押し込まれると、グリップ辺挿入部５５ｅに対応するイジェクト機構４０が動作しスロット５２に収納されている種別１の拡張カード２１をイジェクトする。イジェクト機構４０の動作は、上述した図９のものと同じである。なお、グリップ辺３３を方向１に向けた状態でスタイラスペン３０を押し込んだ場合は、図７と同じように、本体収納部５５ａに本体３１が収納されグリップ辺挿入部５５ｂにグリップ辺３３収納されることで、スタイラスペン３０がペン収納部５５に収納される。
【００２０】
以上説明したように、スタイラスペン３０をペン収納部５５に挿入する時のグリップ辺３３の方向を変更することで、複数のスロットの内、所望するスロットに収納されている拡張カードをイジェクトすることができるので、拡張カードのイジェクトを簡単な操作で行うことが可能となる。
【００２１】
【発明の効果】
以上詳述したように本発明では、拡張カードの取り出しを簡単な操作で行うことができる。
【図面の簡単な説明】
【図１】本発明に係わる第１の実施の形態の情報端末を表面から見た時の構成図。
【図２】本発明に係わるスタイラスペンの構成図。
【図３】本発明に係わる第１の実施の形態の情報端末の背面から見た時の構成図。
【図４】本発明に係わる第１の実施の形態の情報端末の上面の構成図。
【図５】グリップ辺を方向１に向けた状態でスタイラスペンを挿入している状態を示す図。
【図６】グリップ辺を方向２に向けた状態でスタイラスペンを挿入している状態を示す図。
【図７】スタイラスペンをペン収納部に収納した状態を示す図。
【図８】拡張カードをイジェクトしたときの様子を示す図。
【図９】本発明に係わるイジェクト機構部の構成を示す図。
【図１０】本発明に係わる第２の実施の形態の情報端末の上面の構成図。
【図１１】種別２の拡張カードをイジェクトしたときの様子を示す図。
【図１２】種別３の拡張カードをイジェクトしたときの様子を示す図。
【図１３】種別１の拡張カードをイジェクトしたときの様子を示す図。
【符号の説明】
１０、５０…情報端末、
１１…本体、
１２…キー入力部、
１２ａ…方向指示キー、
１２ｂ…アプリケーション指示キー、
１３…タブレット一体型ＬＣＤ、
１４、５２、５３、５４…スロット、
１５、５５…ペン収納部、
１５ａ、５５ａ…本体収納部、
１５ｂ、１５ｃ、５５ｂ、５５ｃ、５５ｄ、５５ｅ…グリップ辺挿入部
１６…表面、
１７…背面、
１８…上面、
２０、２１、２２、２３…拡張カード、
３０…スタイラスペン、
３１…本体、
３２…先端部、
３３…グリップ辺、
３４…上面、
３５…下面、
４０…イジェクト機構部、
４１…第１部材、
４２…第２部材、
４３…第３部材、
４４…第１支点、
４５…軸、
４６…第２支点、
４７…上面。
【図１】
2004038354.tif 000003
【図２】
2004038354.tif 000004
【図３】
2004038354.tif 000005
【図４】
2004038354.tif 000006
【図５】
2004038354.tif 000007
【図６】
2004038354.tif 000008
【図７】
2004038354.tif 000009
【図８】
2004038354.tif 000010
【図９】
2004038354.tif 000011
【図１０】
2004038354.tif 000012
【図１１】
2004038354.tif 000013
【図１２】
2004038354.tif 000014
【図１３】
2004038354.tif 000015